(57)【要約】【課題】本発明は、撮影条件を操作者が設定可能なカメラに関し、カメラに設定した撮影条件に関する情報の変更を確実に認識可能にすることを目的とする。【解決手段】カメラを制御するための撮影条件を設定するための設定手段と、前記設定手段で設定された撮影条件に関する情報を記憶する記憶手段と、前記撮影条件に関する情報を前記カメラに着脱可能な記録媒体に書き込み及び読み出しする記録処理手段と、前記記録媒体に記録された撮影条件に関する情報と前記記憶手段に記憶されている撮影条件に関する情報とを比較する比較手段と、前記記録媒体に記録された前記撮影条件に関する情報と前記記憶手段に記憶されている撮影条件に関する情報とが異なっている時に報知する報知手段とを有することを特徴とする。【選択図】      図２
2004341054.tif 000002
【特許請求の範囲】
【請求項１】
カメラを制御するための撮影条件を設定するための設定手段と、
前記設定手段で設定された撮影条件に関する情報を記憶する記憶手段と、
前記撮影条件に関する情報を前記カメラに着脱可能な記録媒体に書き込み及び読み出しする記録処理手段と、
前記記録媒体に記録された撮影条件に関する情報と前記記憶手段に記憶されている撮影条件に関する情報とを比較する比較手段と、
前記記録媒体に記録された前記撮影条件に関する情報と前記記憶手段に記憶されている撮影条件に関する情報とが異なっている時に報知する報知手段と、
を有することを特徴とするカメラ。
【請求項２】
請求項１記載のカメラにおいて、
前記カメラの撮影光学系の焦点調節状態を検出する焦点検出装置を備え、
前記撮影条件は前記焦点調節状態を補正する補正値情報であり、
前記制御手段は、前記焦点調節状態と前記補正値情報とに基づいて前記撮影光学系を駆動する駆動制御手段を有することを特徴とするカメラ。
【請求項３】
請求項１または請求項２記載のカメラにおいて、
前記記録処理手段は、前記記録媒体に記録した前記撮影条件に関する情報とは区別して記録された新たな撮影条件に関する情報を読み込み可能であり、前記記憶手段に記憶された撮影条件に関する情報を、前記新たな撮影条件に関する情報に更新する更新手段を有することを特徴とするカメラ。
【請求項４】
請求項１ないし請求項３のいずれか１項記載のカメラにおいて、
前記記録媒体は、撮影した画像を記録する媒体を兼ねていることを特徴とするカメラ。
【発明の詳細な説明】
【０００１】
【発明の属する技術分野】
本発明は、静止画像や動画像を撮像、記録するカメラに関し、特にその撮影条件を操作者が設定可能なカメラに関する。
【０００２】
【従来の技術】
従来、露出、露光、焦点検出結果等に関する調整値を操作者の操作により設定できるカメラとして、例えば、特開２００１−１７４６９０号公報に開示されるものが知られている。
また、撮影条件を、不揮発性メモリに読み書きすることができる電子カメラとして、例えば、特開２００１−２７５０３７号公報に開示されるものが知られている。
【０００３】
【特許文献１】
特開２００１−１７４６９０号公報
【特許文献２】
特開２００１−２７５０３７号公報
【０００４】
【発明が解決しようとする課題】
しかしながら、上述したような従来のカメラでは、カメラが所定の撮影者の手元に無い間に、カメラに設定した撮影条件に関する情報が別の者に更新されていても、気がつかずに変更がないものと思って撮影してしまい、意図した結果を得ることができないおそれがあるという問題があった。
【０００５】
そして、特に、いたずらや妨害の意図から設定変更された場合には、撮影者に被害を及ぼすおそれが大きいという問題があった。
本発明は、かかる従来の問題を解決するためになされたもので、カメラに設定した撮影条件に関する情報の変更を確実に認識することができるカメラを提供することを目的とする。
【０００６】
【課題を解決するための手段】
請求項１のカメラは、カメラを制御するための撮影条件を設定するための設定手段と、前記設定手段で設定された撮影条件に関する情報を記憶する記憶手段と、前記撮影条件に関する情報を前記カメラに着脱可能な記録媒体に書き込み及び読み出しする記録処理手段と、前記記録媒体に記録された撮影条件に関する情報と前記記憶手段に記憶されている撮影条件に関する情報とを比較する比較手段と、前記記録媒体に記録された前記撮影条件に関する情報と前記記憶手段に記憶されている撮影条件に関する情報とが異なっている時に報知する報知手段とを有することを特徴とする。
【０００７】
請求項２のカメラは、請求項１記載のカメラにおいて、前記カメラの撮影光学系の焦点調節状態を検出する焦点検出装置を備え、前記撮影条件は前記焦点調節状態を補正する補正値情報であり、前記制御手段は、前記焦点調節状態と前記補正値情報とに基づいて前記撮影光学系を駆動する駆動制御手段を有することを特徴とする。
【０００８】
請求項３のカメラは、請求項１または請求項２記載のカメラにおいて、前記記録処理手段は、前記記録媒体に記録した前記撮影条件に関する情報とは区別して記録された新たな撮影条件に関する情報を読み込み可能であり、前記記憶手段に記憶された撮影条件に関する情報を、前記新たな撮影条件に関する情報に更新する更新手段を有することを特徴とする。
【０００９】
請求項４のカメラは、請求項１ないし請求項３のいずれか１項記載のカメラにおいて、前記記録媒体は、撮影した画像を記録する媒体を兼ねていることを特徴とする。
【００１０】
（作用）
請求項１のカメラでは、比較手段により、記録媒体に記録された撮影条件に関する情報と記憶手段に記憶されている撮影条件に関する情報とが比較される。
【００１１】
そして、記録媒体に記録された撮影条件に関する情報と記憶手段に記憶されている撮影条件に関する情報とが異なっている時に、その旨が報知手段により撮影者に報知される。
請求項２のカメラでは、撮影条件に関する情報が、カメラの撮影光学系の焦点調節状態を補正する補正値情報とされる。
【００１２】
請求項３のカメラでは、記録処理手段が、記録媒体に記録した撮影条件に関する情報とは区別して記録された新たな撮影条件に関する情報を読み込み可能とされている。
そして、更新手段により、記憶手段に記憶された撮影条件に関する情報が、新たな撮影条件に関する情報に更新される。
【００１３】
請求項４のカメラでは、記録媒体が、撮影した画像を記録する媒体を兼ねており、カメラを使用しない時に、カメラから記録媒体を取り外すことにより、撮影した画像と撮影条件に関する情報とが同時に保護される。
【００１４】
【発明の実施の形態】
以下、本発明の一実施形態を図面を用いて詳細に説明する。
【００１５】
図１は、本発明のカメラの一実施形態である電子カメラの構成を示すブロック図である。
この実施形態では、本発明が、一眼レフレックス式の電子カメラに適用される。
図１は、メインミラー１１がダウンの状態を示している。
図１において、カメラボディ１３には、カメラボディ１３に対して着脱可能に撮影レンズ１５が装着されている。
【００１６】
そして、図示しない被写体からの撮影光束の一部は、撮影レンズ１５を通ってカメラボディ１３に設けられているハーフミラーであるクイックリターンミラー１７により反射されて光学ファインダー１９に導かれる。
【００１７】
また、他の一部はクイックリターンミラー１７を透過してサブミラー２１により反射され、焦点検出用の光束として位相差方式のＡＦセンサモジュール２３に導かれる。
クイックリターンミラー１７がアップの状態では、クイックリターンミラー１７およびサブミラー２１が上方に回避し、撮影レンズ１５を透過した被写体光は、機械シャッタであるフォーカルプレーンシャッタ２５、フィルタ２７を介して、画像撮像用撮像素子である二次元イメージセンサ２９に導かれる。
【００１８】
撮影レンズ１５は、光量を調節するための絞り３１を内蔵している。また、フィルタ２７は、赤外線をカットし可視光線のみを二次元イメージセンサ２９へ導く機能と光学的ローパスフィルタとしての機能とを兼ね備えている。
カメラボディ１３は、カメラ全体の制御をつかさどるＣＰＵにより構成されるシステムコントローラ３３を備え、システムコントローラ３３は、後述する各部の動作を適宜制御する。
【００１９】
システムコントローラ３３には、クイックリターンミラー１７のアップダウンの駆動を行うためのミラー駆動機構３５と、フォーカルプレーンシャッタ２５を制御するシャッタ制御回路３７が接続されている。
また、システムコントローラ３３には、撮影レンズ１５の絞り３１を駆動するための絞り駆動機構３９と、レンズ制御回路４１とが接続されている。
【００２０】
さらに、システムコントローラ３３には、光学ファインダー１９の接眼レンズ４３の近傍に配設された測光センサ４５に接続された測光回路４７と、カメラを制御する上で調整が必要なパラメータが記憶されているＥＥＰＲＯＭ（Ｅ１ｅｃｔｒｉｃａ１１ｙ  Ｅｒａｓａｂ１ｅ  Ｐｒｏｇｒａｍｍａｂ１ｅ  Ｒｅａｄ−０ｎ１ｙ  Ｍｅｍｏｒｙ）４９とが接続されている。
また、システムコントローラ３３は、撮影レンズ１５とカメラボディ１３との間の接点を介して、撮影レンズ１５に内蔵したＣＰＵまたはＲＯＭよりなるレンズ情報出力手段５１に接続されている。
【００２１】
なお、上述したレンズ制御回路４１は撮影レンズ１５内の撮影光学系５３（対物レンズに相当）を光軸方向に移動してピント合わせを行うためのレンズ駆動機構５５を制御する。
また、測光回路４７に接続される測光センサ４５は、図示しない被写体の輝度を測定するためのセンサであり、その出力は測光回路４７を経てシステムコントローラ３３へ供給される。
【００２２】
そして、システムコントローラ３３は、レンズ制御回路４１を制御することにより、被写体像を二次元イメージセンサ２９上に結像させる。また、システムコントローラ３３は、設定されたＡｖ値に基いて、絞り３１を駆動する絞り駆動機構３９を制御し、更に、設定されたＴｖ値に基いて、シャッタ制御回路３７へ制御信号を出力する。
【００２３】
システムコントローラ３３には、画像データコントローラ５７が接続されている。この画像データコントローラ５７は、画像の撮像、記憶、表示関係の各装置の制御、並びに入力された画像信号の補正や加工などを、システムコントローラ３３の指令に基いて実行する。
画像データコントローラ５７には、二次元イメージセンサ２９から出力される被写体像に対応したアナログ信号をデジタル信号に変換するためのＡ／Ｄコンバータ５９と、Ａ／Ｄコンバータ５９からの出力信号の初期的処理をする画像処理回路６１とが接続されている。
【００２４】
また、画像データコントローラ５７には、得られた画像データ（デジタルデータ）を一時的に記憶しておくＤＲＡＭ６３と、Ｄ／Ａコンバータ６５及び画像圧縮回路６７とが接続されている。
ＤＲＡＭ６３は、加工や所定のフォーマットヘのデータ変換が行われる前の画像データ及び加工途中、加工後の画像データを一時的に記憶するための記憶手段として使用される。
【００２５】
そして、Ｄ／Ａコンバータ６５には画像表示器６９が接続され、画像圧縮回路６７には、画像データ記録メディア７１が接続されている。
画像表示器６９は、二次元イメージセンサ２９で撮像された画像データを表示するための装置であり、カラーの液晶表示パネルとその付属回路により構成されている。
【００２６】
そして、画像データコントローラ５７は、ＤＲＡＭ６３上の画像データを、システムコントローラ３３の指示に従った文字や図形等がいわゆるスーパーインポーズとして付加された画像のデータに加工し、このデータをＤ／Ａコンバータ６５に出力する。
この画像データはＤ／Ａコンバータ６５によりアナログ信号に変換された後、画像表示器６９に入力され、画像表示器６９は、この信号をエンコードし同装置の一部をなす液晶パネルを駆動する事により画像を表示する。
【００２７】
画像圧縮回路６７は、ＤＲＡＭ６３に記憶された画像データの圧縮や変換（例えばＪＰＥＧ圧縮）を行うための回路である。
そして、変換された画像データは、画像データ記録メディア７１へ格納される。
この実施形態では、画像データ記録メディア７１には、カメラボディ１３に着脱可能なメモリーカードの一種であるコンパクトフラッシュ（登録商標）が使用される。
【００２８】
なお、画像データ記録メディア７１に、他のメモリーカード、着脱式ハードディスク、フロッピー（登録商標）ディスク等のリムーバブルメディアを用いても良い。
さらに、システムコントローラ３３には、電子カメラの動作モードの情報や露出情報（シャッタ秒時、絞り値等）の表示を行うための表示回路７３と、ユーザが所望の動作を電子カメラに実行させるべく操作される多数のスイッチで構成される操作スイッチ７５が接続されている。
【００２９】
上述したカメラでは、撮影レンズ１５を通った被写体からの光が、位相差式の焦点検出手段であるＡＦセンサモジュール２３に導かれ、デフォーカス量を検出することにより焦点検出が行われる。
そして、カメラにより撮影された画像は、画像データ記録メディア７１に書き込まれる。
【００３０】
また、操作スイッチ７５を操作することにより、焦点補正値情報等の撮影条件に関する情報が設定される。
なお、焦点補正値情報とは、焦点検出の補正値（オフセット値）に関する情報をいう。
そして、この操作スイッチ７５により設定された焦点補正値情報等の撮影条件に関する情報が、不揮発性記憶手段であるＥＥＰＲＯＭ４９に書き込まれる。
【００３１】
また、撮影時にはＡＦセンサモジュール２３が算出したデフォーカス量にＥＥＰＲＯＭ４９に保存された補正値を足し、その値に基いて焦点合わせのためのレンズ駆動が行われる。
この実施形態では、カメラの電源をオフにする時に、その時の焦点補正値情報等の撮影条件に関する情報が、画像データ記録メディア７１に書き込まれる。
【００３２】
また、この実施形態では、画像データ記録メディア７１には、コンピュータ等の外部機器により、画像データ記録メディア７１内に、カメラの電源のオフ時の情報と区別して、新たな焦点補正値情報等の撮影条件に関する情報が書き込み可能とされている。
なお、画像データ記録メディア７１に書き込まれる焦点補正情報は、各々所定のファイル名をつけて書き込まれるので、ファイル名で識別が可能である。
【００３３】
また、ファイル名の付与はカメラの電源のオフ時には、カメラのシステムコントローラ３３が行い、画像データ記録メディア７１をカメラから外した状態では、コンピュータ等の外部機器が行う。そして、汎用コンピュータを用いる場合でも専用のソフトウエアを用いることにより、間違いなく所定のファイル名を付与することが可能である。
【００３４】
以下、図２に示すフローチャートにより、上述したカメラの起動時にシステムコントローラ３３が行う動作を説明する。
なお、この実施形態では、説明を簡略化するため、画像データ記録メディア７１に書き込まれる撮影条件に関する情報を、焦点補正値情報のみにした例について説明する。
【００３５】
操作スイッチ７５の１つであるパワースイッチがオンすると、システムに電源が供給されシステムコントローラ３３が動作を開始する。
先ず、ステップＳ１では、カメラのシャットダウン時に書き込まれた焦点補正値情報が、ＥＥＰＲＯＭ４９からシステムコントローラ３３内蔵のメモリに読み込まれる。
【００３６】
次に、ステップＳ２では、画像データ記録メディア７１から、カメラのシャットダウン時に書き込まれた焦点補正値情報が読み出される。
次に、ステップＳ３では、ステップＳ１でＥＥＰＲＯＭ４９から読み込んだ焦点補正値情報と、ステップＳ２で画像データ記録メディア７１から読み出した焦点補正値情報が異なるか否かが比較される。そして、同じならばステップＳ６に進み、異なればステップＳ４に進む。
【００３７】
ステップＳ４では、焦点補正値情報が変更されている旨の警告（報知）と、次のステップに進むことを了解した旨の入力操作を促す警告表示が行われる。
すなわち、焦点補正値情報が変更されている場合には、「ＡＦ補正値が改変されています。ＯＫ？」との警告表示が行われる。
ステップＳ５では、０Ｋの操作があるまで待機し、０Ｋの操作があればステップＳ６へ進む。
【００３８】
ステップＳ６では、画像データ記録メディア７１に、新たな焦点補正値情報が書き込まれているか調べ、書き込まれていなければカメラ起動ルーチンに進み、書き込まれていればステップＳ７へ進む。
ステップＳ７では、画像データ記録メディア７１から新たな焦点補正値情報を読み込み、ステップＳ１で読み込んだＥＥＰＲＯＭ４９からの焦点補正値情報と比較し、同じならカメラ起動ルーチンへ進み、異なればステップＳ８に進む。
【００３９】
ステップＳ８では、ステップＳ１で読み込んだＥＥＰＲＯＭ４９の焦点補正値情報が表す値を現在の焦点補正値として表示し、ステップＳ７で読み込んだ焦点補正値情報が表す値を新しい焦点補正値として表示し、さらに新しい値に書き換えるかの入力操作を促す書き換え可否表示をする。
ステップＳ９では、入力操作があるまで待機し、入力操作があったところでステップＳ１０に進む。
【００４０】
ステップＳ１０では、行われた入力操作が、書き換えＯＫの入力操作か、キャンセルの入力操作かを判断する。そして、書き換えＯＫの入力操作があった場合にはステップＳ１１に進み、キャンセルの入力操作があった場合にはカメラ起動ルーチンへ進む。
ステップＳ１１では、ステップＳ１で読み込んだシステムコントローラ３３の内蔵メモリ内の焦点補正値情報を、ステップＳ７で読み込んだ情報に書き換え、またＥＥＰＲＯＭ４９に保存した焦点補正値情報も同じくステップＳ７で読み込んだ情報に書き換える。
【００４１】
次に、ステップＳ１２では、画像データ記録メディア７１内の新たな焦点補正値情報が消去され、この後、カメラ起動ルーチンに移行される。
そして、カメラのシャットダウン時には、その時にカメラに設定された焦点補正値情報がシステムコントローラ３３内蔵のメモリからＥＥＰＲＯＭ４９に書き込まれ、また画像データ記録メディア７１に書き込まれる。
【００４２】
この時、画像データ記録メディア７１中に、前回シャットダウン時に書き込んだ焦点補正値情報があった場合には、それに上書き（置き換え）される。
上述したカメラでは、記録媒体である画像データ記録メディア７１に記録された焦点補正値情報と、記憶手段であるＥＥＰＲＯＭ４９に記憶されている焦点補正値情報とが異なっている時に、その旨が表示回路７３により撮影者に報知されるため、焦点補正値情報の変更を確実に認識することができる。
【００４３】
そして、焦点補正値情報の変更を確実に認識することができるため、カメラから離れるときに、カメラから画像データ記録メディア７１を抜き、使用再開するとき再挿入ことにより、焦点補正値情報を不在時に書き替えられたことが容易に判明し、誤った焦点補正値情報で撮影し、ピント不良の撮影をするおそれを防止することができる。
【００４４】
なお、上述したカメラにおいて焦点補正値情報が必要な理由は、一般に、位相差ＡＦ方式のカメラでは、ＡＦ装置やカメラの経時変化並びに環境による変化により焦点検出誤差が生じるためである。
また、類似の被写体をほぼ同じ距離で繰り返し撮影するような場合には、被写体の凹凸や、前後方向移動により、いつも一定の焦点ズレがおこる場合があり、このような場合には、所望の被写体にピントが合った画像を得られる確率が極めて低くなるためである。
【００４５】
また、上述したカメラでは、記憶手段であるＥＥＰＲＯＭ４９に記憶された焦点補正値情報を、記録媒体である画像データ記録メディア７１に記録された焦点補正値情報に容易，確実に更新することができる。
すなわち、コンピュータ等の外部機器の大型のモニターで画像を観察したり、画像処理ソフトで画後を解析した結果に基づいて画像データ記録メディア７１に記憶した焦点補正値情報を用いて、ＥＥＰＲＯＭ４９に記憶された焦点補正値情報を、容易，確実に変更することが可能になり、利便性を増大することができる。
【００４６】
さらに、上述したカメラでは、記録媒体である画像データ記録メディア７１に、撮影した画像と焦点補正値情報とを同時に記録できるようにしたので、カメラを使用しない時に、カメラから画像データ記録メディア７１を取り外すことにより、撮影した画像と撮影条件に関する情報とを同時に保護することができる。
すなわち、カメラから離れるときに、画像データ記録メディア７１を抜くのは画像の消去改ざんを防止するために有効かつ便利であるが、この操作により焦点補正値情報の書き替えを同時に防止することができる。
【００４７】
なお、上述した実施形態では、説明を簡略化するため、画像データ記録メディア７１に書き込まれる撮影条件に関する情報を焦点補正値情報のみにした例について説明したが、本発明は、かかる実施形態に限定されるものではなく、例えば、焦点補正値情報の他に以下のような撮影条件に関する情報を処理するようにしても良い。
【００４８】
また、撮影条件に関する以下のような情報を単独または複数で処理するようにしても良い。
すなわち、撮影条件に関する情報としては、焦点補正値情報以外に、撮影モード（Ａｕｔｏ／Ｍａｎｕａ１）、ファインダー方式（ＯＶＦ／ＥＶＦ）、撮影設定表示（ＯＮ／ＯＦＦ）、画像サイズ（Ｌ，Ｍ，Ｓ）、画像圧縮率（スーパーファイン，ファイン，スタンダード）、ドライブ（単写／連写／高速連写／セルフタイマー）、フォーカス（ノーマル／マクロ／遠景．（無限遠固定））、露出補正（−２〜＋２，１／２ステップ）、ホワイトバランス（オート／太陽光／曇天光／白熱灯／蛍光灯）等の情報が挙げられる。
【００４９】
なお、撮影条件に関する情報が複数ある場合に、例えば、焦点補正値情報が変更されている旨の警告表示が行われた場合には、操作者は表示を確認して次以降のステップに進ませ、変更が予想外であった場合には、カメラの起動操作が終わってから、他にも意に反して変更された設定項目がないかを点検し、変更された項目を設定し直してからカメラを使用し、あるいは、意図的に不具合を細工された可能性をおそれて他のカメラを使用することができる。
【００５０】
また、上述した実施形態では、記憶手段にＥＥＰＲＯＭ４９からなる不揮発性記憶媒体を使用した例について説明したが、本発明はかかる実施形態に限定されるものではなく、例えば、電源ＯＦＦでも記憶を保持することができるメモリを広く用いることができ、また、電源ＯＦＦ時に微量の待機電流を通電し続ける必要があるものでも良い。
【００５１】
さらに、上述した実施形態では、設定手段に操作スイッチ７５を使用した例について説明したが、本発明はかかる実施形態に限定されるものではなく、例えば、ダイアル、タッチパネル、視線検知によるポインティングデバイス、音声認識装置等の単数あるいは複数の組み合わせで構成しても良い。
また、上述した実施形態では、記録媒体を画像データ記録メディア７１と兼用とした例について説明したが、本発明はかかる実施形態に限定されるものではなく、例えば、記録媒体を画像データ記録メディア７１と別にしても良く、この場合には、既存の規格のメモリーカードよりもカメラに着脱容易な媒体を使用するのがより好ましい。
【００５２】
さらに、上述した実施形態では、本発明を一眼レフレックス式の電子カメラに適用した例について説明したが、本発明はかかる実施形態に限定されるものではなく、静止画、動画を撮像するカメラに広く適用することができる。
【００５３】
【発明の効果】
以上述べたように、請求項１のカメラでは、記録媒体に記録された撮影条件に関する情報と記憶手段に記憶されている撮影条件に関する情報とが異なっている時に、その旨が報知手段により撮影者に報知されるため、カメラに設定した撮影条件に関する情報の変更を確実に認識することができる。
【００５４】
請求項２のカメラでは、カメラに設定した補正値情報の変更を確実に認識することができる。
請求項３のカメラでは、記憶手段に記憶された撮影条件に関する情報を、記録媒体に記録された新たな撮影条件に関する情報に容易，確実に更新することができる。
請求項４のカメラでは、カメラを使用しない時に、カメラから記録媒体を取り外すことにより、撮影した画像と撮影条件に関する情報とを同時に保護することができる。
【図面の簡単な説明】
【図１】本発明のカメラの一実施形態を示すブロック図である。
【図２】図１のカメラの動作を示す流れ図である。
【符号の説明】
１５  撮影レンズ
２３  ＡＦセンサモジュール
３３  システムコントローラ
４９  ＥＥＰＲＯＭ
７１  画像データ記録メディア
７３  表示回路
７５  操作スイッチ
【図１】
2004341054.tif 000003
【図２】
2004341054.tif 000004